(57)【要約】【課題】この発明は、簡易な構造で温湿度変化に起因するたわみやしわの発生を抑制できるとともに、画面の枠を狭くできる安価かつ小型の透過型スクリーン装置を得る。【解決手段】レンチキュラレンズスクリーン２およびフレネルレンズスクリーン３は、それぞれ、その上辺を上部固定枠５に固定保持されて、補強板４の両面に沿って、かつ接して吊設されている。そして、レンチキュラレンズスクリーン２およびフレネルレンズスクリーン３の下辺には、板ばねによる下向きのテンションが幅方向に一様に付与されている。さらに、補強板４の下辺が下部フレームに支持され、レンチキュラレンズスクリーン２、フレネルレンズスクリーン３および補強板４の自重および板ばねによるテンションが下部フレームに受けられている。【選択図】図２
2007248763.tif 000002
【特許請求の範囲】
【請求項１】
樹脂製のレンチキュラレンズスクリーンと、樹脂製のフレネルレンズスクリーンと、上記レンチキュラレンズスクリーンおよびフレネルレンズスクリーンより高い剛性を有し、かつ可視光に対する透過性を有する補強板と、上記レンチキュラレンズスクリーンおよび上記フレネルレンズスクリーンを上記補強板を介在させて重ねてなる積層体を立てた姿勢にして該積層体の外周を保持するフレームと、を備えた透過型スクリーン装置において、
温湿度に対し上記レンチキュラレンズスクリーンおよびフレネルレンズスクリーンと同等の線膨張係数を有し、上記補強板の上辺と上記フレームとの間に介装され、該補強板の一面側で該レンチキュラレンズスクリーンの上辺を固定保持して、該レンチキュラレンズスクリーンを該補強板の一面に沿って、かつ一面に接して吊設し、さらに、該補強板の他面側で該フレネルレンズスクリーンの上辺を固定保持して、フレネルレンズスクリーンを該補強板の他面に沿って、かつ他面に接して吊設する保持手段と、
上記補強板の下辺を支持し、上記積層体の自重を受ける支持手段と、
上記レンチキュラレンズスクリーンおよびフレネルレンズスクリーンに、幅方向に一様に下向きのテンションを付与するテンション付与手段と、
を備えたことを特徴とする透過型スクリーン装置。
【請求項２】
上記レンチキュラレンズスクリーンおよびフレネルレンズスクリーンの上辺の幅方向中央位置を、該レンチキュラレンズスクリーンおよびフレネルレンズスクリーンの上下方向および幅方向の移動を規制するように上記フレームに固定する第１固定手段と、
上記レンチキュラレンズスクリーンおよびフレネルレンズスクリーンの下辺の幅方向中央位置を、該レンチキュラレンズスクリーンおよびフレネルレンズスクリーンの幅方向の移動を規制し、かつ、上下方向の移動を許容するように上記フレームに固定する第２固定手段と、
を備えていることを特徴とする請求項１記載の透過型スクリーン装置。
【発明の詳細な説明】
【技術分野】
【０００１】
この発明は、デジタル・マイクロミラー・デバイス（Digital Micromirror Device）や透過型液晶パネルおよび反射型液晶パネルなどのライトバルブを用いた背面投写型表示装置に用いられる透過型スクリーン装置に関するものである。
【背景技術】
【０００２】
一般的に、背面投写型表示装置に用いられる透過型スクリーン装置は、フレネルレンズスクリーンとレンチキュラレンズスクリーンとから構成される。これらのスクリーンの表面は、微細なレンズ形状を有しており、成型加工を利用して生産性を高めるために、例えばアクリル樹脂などの樹脂材を基材としていた。
この種の透過型スクリーン装置では、スクリーン面に入射する光束のスクリーン内多重反射による画質劣化を抑制するために、スクリーン厚みを薄くする必要があった。しかし、基材である樹脂材の厚みを薄くすると、剛性が低下してしまい、自重や温湿度変化に起因してたわみやしわが発生する。そして、スクリーンがシート状に形成されているので、スクリーンにたわみやしわが発生すると、たわみやしわの部分で正常な投影光束が得られず、画質劣化をもたらしてしまう。
【０００３】
このような状況を鑑み、フレネルレンズスクリーンの上部辺をスクリーン材と等しい線膨張係数を有する金属枠に固定し、その下部辺に弾性部材によりテンションを与えて、スクリーンの平面性を維持するとともに、レンチキュラレンズスクリーンをガラス板に貼り付けて剛性の高いレンチキュラレンズ板として、たわみの発生を防止した従来の透過型スクリーン装置が提案されている（例えば、特許文献１参照）。この従来の透過型スクリーン装置では、フレネルレンズスクリーンの平面性が維持され、レンチキュラレンズスクリーン（レンチキュラレンズ板）でのたわみの発生が防止されるので、たわみやしわに起因する画質劣化が抑制される。さらに、ガラスは、スクリーンの樹脂基材と比較して剛性が高いため、厚みを薄くすることができ、スクリーン内多重反射による画質劣化が抑制される。
【０００４】
【特許文献１】特開２００５−１０７３０号公報
【発明の開示】
【発明が解決しようとする課題】
【０００５】
従来の透過型スクリーン装置においては、金属枠を用いてフレネルレンズスクリーンの上部辺を固定しているので、温度に対しては、スクリーンの基材の線膨張係数に近い金属材料を選択して金属枠を作製することができる。しかしながら、金属材料は湿度に対してはほとんど伸縮しないので、湿度変化に起因してたわみやしわがスクリーンに発生してしまうという課題があった。また、フレネルレンズスクリーンと同等の樹脂材で作製された樹脂枠を用いると、樹脂枠は金属枠に比べて強度が低下するため、枠寸法を大きくして強度を高めることになる。そこで、装置体格の大型化や画面の枠（画面の縁）の幅が広くなり、外観が損なわれるという課題があった。
さらに、薄いレンチキュラレンズシートをガラス板に貼り付けているので、しわがなく、かつ、空気が貼り合わせ界面に入り込まないように貼り付けることが必要となり、製造コストが高くなるという課題もあった。
【０００６】
この発明は、上記課題を解決するためになされたもので、簡易な構造で温湿度変化に起因するたわみやしわの発生を抑制できるとともに、画面の枠を狭くできる安価かつ小型の透過型スクリーン装置を得ることを目的とする。
【課題を解決するための手段】
【０００７】
この発明による透過型スクリーン装置は、樹脂製のレンチキュラレンズスクリーンと、樹脂製のフレネルレンズスクリーンと、上記レンチキュラレンズスクリーンおよびフレネルレンズスクリーンより高い剛性を有し、かつ可視光に対する透過性を有する補強板と、上記レンチキュラレンズスクリーンおよび上記フレネルレンズスクリーンを上記補強板を介在させて重ねてなる積層体を立てた姿勢にして該積層体の外周を保持するフレームと、を備えている。そして、温湿度に対し上記レンチキュラレンズスクリーンおよびフレネルレンズスクリーンと同等の線膨張係数を有し、上記補強板の上辺と上記フレームとの間に介装され、該補強板の一面側で該レンチキュラレンズスクリーンの上辺を固定保持して、該レンチキュラレンズスクリーンを該補強板の一面に沿って、かつ一面に接して吊設し、さらに、該補強板の他面側で該フレネルレンズスクリーンの上辺を固定保持して、フレネルレンズスクリーンを該補強板の他面に沿って、かつ他面に接して吊設する保持手段を備えている。さらに、上記補強板の下辺を支持し、上記積層体の自重を受ける支持手段と、上記レンチキュラレンズスクリーンおよびフレネルレンズスクリーンに、幅方向に一様に下向きのテンションを付与するテンション付与手段と、を備えている。
【発明の効果】
【０００８】
この発明によれば、レンチキュラレンズスクリーンおよびフレネルレンズスクリーンが補強板の両面に沿って吊設されているので、レンチキュラレンズスクリーンおよびフレネルレンズスクリーンは、補強板に何等拘束されず、補強板の面上を滑るようにして伸縮できる。そこで、レンチキュラレンズスクリーンおよびフレネルレンズスクリーンと補強板との線膨張係数差に起因するたるみやしわの発生が抑制される。また、レンチキュラレンズスクリーンおよびフレネルレンズスクリーンに、幅方向に一様に下向きのテンションが付与されているので、温湿度変化によってレンチキュラレンズスクリーンおよびフレネルレンズスクリーンに伸縮が生じても、たるみやしわの発生が抑制される。さらに、積層体の自重、さらに保持手段を介してレンチキュラレンズスクリーンおよびフレネルレンズスクリーンに付与されるテンションが支持手段で受けられるので、フレーム上部の剛性を過度に大きくする必要がなく、装置の小型化および画面の枠の狭小化が図られる。さらにまた、レンチキュラレンズスクリーンを補強板の面に沿って吊設しているので、レンチキュラレンズシートをガラス板に貼り付ける必要もなく、製造コストが低減される。
【発明を実施するための最良の形態】
【０００９】
実施の形態１．
図１はこの発明の実施の形態１に係る透過型スクリーン装置を観察者側から見た正面図、図２は図１のＩＩ−ＩＩ矢斜断面図、図３は図１のＩＩＩ−ＩＩＩ矢斜断面図、図４はこの発明の実施の形態１に係る透過型スクリーン装置に適用される板ばねを示す斜視図、図５は図１のＶ−Ｖ矢斜断面図である。
【００１０】
図１において、透過型スクリーン装置１００は、平面形状を矩形とするスクリーン１を略鉛直に立てた姿勢にして、その四辺の外周をフレーム３０に支持されて構成されている。ここで、以下、略鉛直に立てられたスクリーン１の左右方向を幅方向と定義する。
そして、スクリーン１は、図２に示されるように、レンチキュラレンズスクリーン２とフレネルレンズスクリーン３とを補強板４を介在させて重ね合わせて構成されている。
また、フレーム３０は、アルミ等の金属又は樹脂で作製された上部フレーム３１、下部フレーム３２および側部フレーム３３を枠状に配列して構成され、図２などに示されるように、キャビネット２９に固定されている。このキャビネット２９は、詳細には説明していないが、背面投写型表示装置を搭載した投影装置の構造骨格をなすものである。
【００１１】
レンチキュラレンズスクリーン２は、矩形のシートであり、レンチキュラレンズを多数配列してなるレンズ面がシート状の樹脂基材の一面上に一体に形成されたものである。そして、レンチキュラレンズスクリーン２は、例えば、予め作製された樹脂基材と紫外線硬化樹脂とをレンズ形成用の金型上に配置し、紫外線照射を行い、紫外線硬化樹脂を硬化させて、紫外線硬化樹脂からなるレンズ面を樹脂基材上に一体に形成することにより作製される。そして、樹脂基材としては、ポリエチレンテレフタレート、ポリスチレン、ポリカーボネート、アクリルなどの樹脂が用いられる。また、レンチキュラレンズスクリーン２は、紫外線硬化樹脂を用いる方法に限らず、例えばホットプレス成型によりレンズ面を樹脂基材の一面に一体に形成してもよい。
【００１２】
フレネルレンズスクリーン３は、矩形のシートであり、フレネルレンズが形成されてなるレンズ面がシート状の樹脂基材の一面上に一体に形成されたものである。そして、フレネルレンズスクリーン３は、例えば、予め作製された樹脂基材と紫外線硬化樹脂とをレンズ形成用の金型上に配置し、紫外線照射を行い、紫外線硬化樹脂を硬化させて、紫外線硬化樹脂からなるレンズ面を樹脂基材上に一体に形成することにより作製される。そして、樹脂基材としては、ポリエチレンテレフタレート、ポリスチレン、ポリカーボネート、アクリルなどの樹脂が用いられる。また、フレネルレンズスクリーン３は、紫外線硬化樹脂を用いる方法に限らず、例えばホットプレス成型によりレンズ面を樹脂基材の一面に一体に形成してもよい。
【００１３】
補強板４は、矩形平板であり、可視光に対する透過性を有し、レンチキュラレンズスクリーン２およびフレネルレンズスクリーン３より剛性の高いものであればよく、例えばガラス板が用いられる。
ここで、後述するように、レンチキュラレンズスクリーン２およびフレネルレンズスクリーン３は同一サイズの矩形に形成され、補強板４はレンチキュラレンズスクリーン２およびフレネルレンズスクリーン３より僅かに大きなサイズの矩形に形成されている。
【００１４】
つぎに、透過型スクリーン装置１００におけるスクリーン１の上辺部構造について図２を参照しつつ説明する。
【００１５】
上部固定枠５は、スクリーン１の上辺長さと同等の長さを有し、三層に重ねられたレンチキュラレンズスクリーン２、補強板４およびフレネルレンズスクリーン３の積層厚みと同等の開口幅を有する断面コ字状に成形された樹脂成型体である。そして、三層に重ねられたレンチキュラレンズスクリーン２、補強板４およびフレネルレンズスクリーン３が、それらの上辺端面を上部固定枠５の断面コ字状の底面に当接させて、上部固定枠５に挿入されている。さらに、レンチキュラレンズスクリーン２およびフレネルレンズスクリーン３の上辺縁部が上部固定枠５の断面コ字状の相対する内壁面に接着層６により固着保持されている。この接着層６には、接着剤、両面テープなどが用いられる。また、上部固定枠５には、レンチキュラレンズスクリーン２およびフレネルレンズスクリーン３の樹脂材と同等の線膨張係数を有する樹脂材が用いられる。
【００１６】
これにより、レンチキュラレンズスクリーン２は、レンズ面を観察者側に向けて、その上辺縁部を上部固定枠５に固定保持されて、補強板４の一面（観察者側の面）に沿って、かつ補強板４の一面に接するように吊設されている。また、フレネルレンズスクリーン３は、レンズ面を投写側にむけて、その上辺縁部を上部固定枠５に固定保持されて、補強板４の他面に沿って、かつ補強板４の他面に接するように吊設されている。そして、レンチキュラレンズスクリーン２およびフレネルレンズスクリーン３と補強板４とは単に接しているだけで、補強板４に対するレンチキュラレンズスクリーン２およびフレネルレンズスクリーン３の移動は何等拘束されない。また、上部固定枠５は補強板４の上辺上に単に載置されているだけであり、補強板４に対する上部固定枠５の移動も何等拘束されない。
【００１７】
また、上部フレーム３１は、上部固定枠５の長さより僅かに短い長さを有し、上部固定枠５を内包する断面コ字状に作製されている。そして、上部固定枠５が、少なくともその長さ方向の移動（画面の幅方向）の移動を拘束されないように、かつ、その両端を延出させて上部フレーム３１内に遊嵌状態に収納されている。
【００１８】
ついで、スクリーン１の下辺部構造について図３及び図４を参照しつつ説明する。
下部フレーム３２は、上部フレーム３１と同等の長さを有し、三層に重ねられたレンチキュラレンズスクリーン２、補強板４およびフレネルレンズスクリーン３の積層厚みと同等の幅を有する略矩形断面に成形されている。そして、補強板４の厚みと同等の溝幅の補強体挿入溝３２ａが、下部フレーム３２の上面の厚さ方向中央に、かつ、下部フレーム３２の長さ方向の全域に渡って延設されている。さらに、突起部３２ｂが、下部フレーム３２の表裏両面の下端縁部に、下部フレーム３２の長さ方向の全域に渡って延設されている。
【００１９】
レンチ側下部固定板７は、レンチキュラレンズスクリーン２の下辺長さと同等の長さを有し、所定厚みの平板状に成型された樹脂成型体である。このレンチ側下部固定板７は、レンチキュラレンズスクリーン２の下辺縁部に接着層６により固着されている。このレンチ側下部固定板７には、レンチキュラレンズスクリーン２の樹脂材、あるいは温湿度に対する線膨張係数がレンチキュラレンズスクリーン２の樹脂材と同等の樹脂材が用いられる。
【００２０】
フレネル側下部固定板８は、フレネルレンズスクリーン３の下辺長さと同等の長さを有し、所定厚みの平板状に成型された樹脂成型体である。このフレネル側下部固定板８は、フレネルレンズスクリーン３の下辺縁部に接着層６により固着されている。このフレネル側下部固定板８には、フレネルレンズスクリーン３の樹脂材、あるいは温湿度に対する線膨張係数がフレネルレンズスクリーン３の樹脂材と同等の樹脂材が用いられる。
【００２１】
レンチ側板ばね２０は、下部フレーム３２より短い長さを有するＬ字状の引っ掛け部２０ａと、引っ掛け部２０ａの長さ方向に所定のピッチで、かつ、互いに離間して配列されて引っ掛け部２０ａから一体に延設されたコルゲート状に屈曲した複数のばね部２０ｂと、それぞれのばね部２０ｂの先端に一体に形成されたＬ字状の引っ掛け部２０ｃとを備えている。同様に、フレネル側板ばね２１は、下部フレーム３２より短い長さを有するＬ字状の引っ掛け部２１ａと、引っ掛け部２１ａの長さ方向に所定のピッチで、かつ、互いに離間して配列されて引っ掛け部２１ａから一体に延設されたコルゲート状に屈曲した複数のばね部２１ｂと、それぞれのばね部２１ｂの先端に一体に形成されたＬ字状の引っ掛け部２１ｃとを備えている。なお、レンチ側板ばね２０およびフレネル側板ばね２１は、テンション付与手段に相当し、ベリリウム銅、リン青銅、ステンレスなどの弾性材料が用いられる。
【００２２】
そして、補強板４の下辺が補強体挿入溝３２ａ内に挿入されて、三層に重ねられたレンチキュラレンズスクリーン２、補強板４およびフレネルレンズスクリーン３が、キャビネット２９に固定された下部フレーム３２に支持されている。この時、レンチキュラレンズスクリーン２およびフレネルレンズスクリーン３の側辺（上下方向）長さが、補強板４の側辺長さより短く形成されており、レンチキュラレンズスクリーン２およびフレネルレンズスクリーン３と下部フレーム３２との間に所定の隙間が形成されている。
【００２３】
また、レンチ側板ばね２０が、Ｌ字状の引っ掛け部２０ａを下部フレーム３２の突起部３２ｂに引っ掛け、各ばね部２０ｂを伸長させつつＬ字状の引っ掛け部２０ｃをレンチ側下部固定板７に引っ掛けて装着されている。そして、引っ掛け部２０ａが固定ピン２２により下部フレーム３２に締着固定され、引っ掛け部２０ｃが固定ピン２３によりレンチ側下部固定板７に締着固定されている。これにより、レンチキュラレンズスクリーン２に所定のテンションが付与される。なお、このテンションは、レンチキュラレンズスクリーン２のたわみを吸収する最適に調整されている。
【００２４】
同様に、フレネル側板ばね２１が、Ｌ字状の引っ掛け部２１ａを下部フレーム３２の突起部３２ｂに引っ掛け、各ばね部２１ｂを伸長させつつＬ字状の引っ掛け部２１ｃをフレネル側下部固定板８に引っ掛けて装着されている。そして、引っ掛け部２１ａが固定ピン２４により下部フレーム３２に締着固定され、引っ掛け部２１ｃが固定ピン２５によりフレネル側下部固定板８に締着固定されている。これにより、フレネルレンズスクリーン３に所定のテンションが付与される。なお、このテンションは、フレネルレンズスクリーン３のたわみを吸収する最適に調整されている。
【００２５】
ついで、スクリーン１の側辺部構造について図５を参照しつつ説明する。なお、図５は所定の温湿度環境の範囲で最も収縮した状態を示している。
側部保持枠９は、上部固定枠５とレンチ側下部固定板７（フレネル側下部固定板８）との間の距離と同等の長さを有し、三層に重ねられたレンチキュラレンズスクリーン２、補強板４およびフレネルレンズスクリーン３の積層厚みより僅かに広い開口幅を有する断面コ字状に成形された樹脂成型体である。そして、三層に重ねられたレンチキュラレンズスクリーン２、補強板４およびフレネルレンズスクリーン３の側辺が側部保持枠９内に挿入され、その補強板４の側辺端面が側部保持枠９の断面コ字状の底面に当接されている。
【００２６】
この時、レンチキュラレンズスクリーン２およびフレネルレンズスクリーン３の上辺長さ（幅方向長さ）が、補強板４の上辺長さより短く形成されており、レンチキュラレンズスクリーン２およびフレネルレンズスクリーン３と側部保持枠９の底面との間に隙間Ｙが形成されている。この隙間Ｙは、レンチキュラレンズスクリーン２およびフレネルレンズスクリーン３が温湿度変化により伸長しても、側部保持枠９の底面に接触しない大きさとなっている。また、側部保持枠９が、三層に重ねられたレンチキュラレンズスクリーン２、補強板４およびフレネルレンズスクリーン３の積層厚みより僅かに広い開口幅を有しているので、レンチキュラレンズスクリーン２およびフレネルレンズスクリーン３の温湿度変化による伸縮動作は側部保持枠９により拘束されない。
【００２７】
また、側部フレーム３３は、上部フレーム３１の外壁面と下部フレーム３２の外壁面との間の距離と同等の長さを有し、側部保持枠９を内包する断面コ字状に作製されている。そして、側部保持枠９が、少なくともその長さ方向（画面の上下方向）の移動を拘束されないように側部フレーム３３内に遊嵌状態に収納されている。さらに、三層に重ねられたレンチキュラレンズスクリーン２、補強板４およびフレネルレンズスクリーン３の積層体、上部固定枠５、レンチ側下部固定板７およびフレネル側下部固定板８の上部フレーム３１および下部フレーム３２からの延出部が側部フレーム３３内に挿入されている。また、側部フレーム３３の両端面が、上部フレーム３１の外壁面および下部フレーム３２の外壁面とほぼ同一面位置となっている。
なお、上記説明では、図１中透過型スクリーン装置１００の右辺について説明しているが、左辺に同様に構成されている。
【００２８】
このように構成された透過型スクリーン装置１００では、スクリーン１が略鉛直に立った姿勢で、上部固定枠５、レンチ側下部固定板７、フレネル側下部固定板８および側部保持枠９を介して、その外周がフレーム３０を構成する上部フレーム３１、下部フレーム３２および側部フレーム３３に保持されている。
【００２９】
そして、スクリーン１は、レンチキュラレンズスクリーン２およびフレネルレンズスクリーン３の上辺縁部が固定保持された上部固定枠５を補強板４の上部に被せ、レンチキュラレンズスクリーン２およびフレネルレンズスクリーン３を補強板４の表裏両面に沿って、かつ接するように吊設されている。そこで、レンチキュラレンズスクリーン２およびフレネルレンズスクリーン３は、補強板４に何等拘束されず、補強板４の面上を滑るようにして伸縮できるので、レンチキュラレンズスクリーン２およびフレネルレンズスクリーン３と補強板４との線膨張係数差に起因するたるみやしわの発生が抑制される。
【００３０】
また、上部固定枠５が補強板４に固定されていないので、上部固定枠５は、補強板４に何等拘束されず、補強板４の面上を移動できる。そこで、補強板４と上部固定枠５との線膨張係数差に起因する応力は補強板４と上部固定枠５との相対移動により吸収され、レンチキュラレンズスクリーン２およびフレネルレンズスクリーン３におけるたるみやしわの発生には影響しない。
さらに、上部固定枠５が上部フレーム３１に遊嵌状態に保持されているので、上部固定枠５と上部フレーム３１との線膨張係数差に起因する応力は上部固定枠５と上部フレーム３１との相対移動により吸収され、レンチキュラレンズスクリーン２およびフレネルレンズスクリーン３におけるたるみやしわの発生には影響しない。
【００３１】
また、上部固定枠５から吊設されたレンチキュラレンズスクリーン２およびフレネルレンズスクリーン３の下端部が、レンチ側板ばね２０およびフレネル側板ばね２１を介して下部フレーム３２に固定されているので、レンチキュラレンズスクリーン２およびフレネルレンズスクリーン３の上下方向にはテンションが常に付与されている。そこで、温湿度変化によりレンチキュラレンズスクリーン２およびフレネルレンズスクリーン３に上下方向の伸縮が発生しても、その伸縮はレンチ側板ばね２０およびフレネル側板ばね２１のばね部２０ｂ、２１ｂの伸縮により吸収され、たるみやしわの発生が抑制される。
【００３２】
また、レンチ側板ばね２０は、下部フレーム３２より僅かに短い長さを有するＬ字状の引っ掛け部２０ａと、引っ掛け部２０ａの長さ方向に所定のピッチで、かつ、互いに離間して配列されて引っ掛け部２０ａから一体に延設されたコルゲート状に屈曲した複数のばね部２０ｂと、それぞれのばね部２０ｂの先端に一体に形成されたＬ字状の引っ掛け部２０ｃとを備えている。そこで、ばね部２０ｂによるテンションが、下部フレーム３２とレンチ側下部固定板７との間に、その長さ方向に所定のピッチで付与されるので、レンチキュラレンズスクリーン２の幅方向には、下向きのテンションが一様に付与される。これにより、テンションが幅方向に不均一に付与されることに起因するレンチキュラレンズスクリーン２のたるみやしわの発生が抑制される。また、ばね部２０ｂが互いに離間しているので、レンチキュラレンズスクリーン２は幅方向の伸縮に対して拘束を受けず、たるみやしわの発生が抑制される。
なお、フレネル側板ばね２１についても、同様に構成されているので、同様の効果が得られる。
【００３３】
また、レンチキュラレンズスクリーン２およびフレネルレンズスクリーン３の側辺部が側部保持枠９に遊嵌状態に、かつ、伸縮を吸収する隙間Ｙを確保して保持されている。そこで、温湿度変化によりレンチキュラレンズスクリーン２およびフレネルレンズスクリーン３に幅方向の伸縮が発生しても、その伸縮は側部保持枠９に拘束されず、たるみやしわの発生が抑制される。
【００３４】
また、上部固定枠５がレンチキュラレンズスクリーン２およびフレネルレンズスクリーン３と同等の線膨張係数を有する樹脂材で作製されているので、レンチキュラレンズスクリーン２およびフレネルレンズスクリーン３の上部固定枠５の近傍での温湿度変化に起因するたるみやしわの発生が抑制される。
また、レンチ側およびフレネル側下部固定板７，８がレンチキュラレンズスクリーン２およびフレネルレンズスクリーン３と同等の線膨張係数を有する樹脂材で作製されているので、レンチキュラレンズスクリーン２およびフレネルレンズスクリーン３のレンチ側およびフレネル側下部固定板７，８の近傍での温湿度変化に起因するたるみやしわの発生が抑制される。
【００３５】
また、補強板４がキャビネット２９に固定された下部フレーム３２に支持されているので、上部固定枠５の剛性を過度に大きくする必要がなく、保持構造の簡素化および画面枠の幅の縮小を実現できる。
また、レンチキュラレンズスクリーン２とフレネルレンズスクリーン３とが上部固定枠５により補強板４の両面側に別々に吊設されているので、レンチキュラレンズスクリーン２およびフレネルレンズスクリーン３の自重およびレンチ側板ばね２０およびフレネル側板ばね２１によるテンションが、補強板４に対し両面で均等に作用する。そこで、補強板４に曲げモーメントが作用せず、上部固定枠５をより低剛性の部材で作製できる。
また、レンチキュラレンズスクリーン２をガラス板などに貼り付ける必要がないので、製造コストが削減される。
【００３６】
実施の形態２．
図６はこの発明の実施の形態２に係る透過型スクリーン装置を観察者側から見た正面図、図７は図６のＶＩＩ−ＩＩ矢斜断面図、図８は図６のＶＩＩＩ−ＶＩＩＩ矢斜断面図である。
【００３７】
図６乃至図８において、上部固定枠５の長さ方向（幅方向）の中央位置が、観察者側および反観察者側（投写側）から第１固定手段としてのピン１０，１１により上部フレーム３１に固定されている。これにより、上部固定枠５の長さ方向の中央位置が、上部フレーム３１に対してスクリーン１の上下方向および幅方向への移動を規制されている。同様に、レンチキュラレンズスクリーン２およびフレネルレンズスクリーン３の上辺の長さ方向（幅方向）中央位置が、上部フレーム３１に対して、スクリーン１の上下方向および幅方向への移動を規制されている。
【００３８】
また、レンチ側下部固定板７には、その長さ方向（幅方向）の中央位置で、その下端面（反上部固定枠側の端面）に、穴方向をスクリーン１の上下方向とするピン挿入穴１２が所定深さにあけられている。そして、軸方向をスクリーン１の上下方向とするピン１３が、下部フレーム３２の長さ方向（幅方向）の中央位置で、かつ、上面の観察者側の縁部に、ピン挿入穴１２と相対するように立設されている。そして、ピン１３が、ピン挿入穴１２内に遊嵌状態に挿入されている。また、レンチキュラレンズスクリーン２の伸長時に、ピン１３がピン挿入穴１２の底面に当たらないように、ピン挿入穴１２の底面とピン１３との間には、所定の隙間が形成されている。そこで、レンチキュラレンズスクリーン２は、その下辺の長さ方向（幅方向）中央位置を、スクリーン１の幅方向の移動を規制し、かつ、上下方向の移動を許容して下部フレーム３２に固定されている。ここで、ピン挿入穴１２およびピン１３が第２固定手段に相当する。
【００３９】
また、フレネル側下部固定板８には、その長さ方向（幅方向）の中央位置で、その下端面（反上部固定枠側の端面）に、穴方向をスクリーン１の上下方向とするピン挿入穴１４が所定深さにあけられている。そして、軸方向をスクリーン１の上下方向とするピン１５が、下部フレーム３２の長さ方向（幅方向）の中央位置で、かつ、上面の投写側の縁部に、ピン挿入穴１４と相対するように立設されている。そして、ピン１５が、ピン挿入穴１４内に遊嵌状態に挿入されている。また、フレネルレンズスクリーン３の伸長時に、ピン１５がピン挿入穴１４の底面に当たらないように、ピン挿入穴１４の底面とピン１５との間には、所定の隙間が形成されている。そこで、フレネルレンズスクリーン３は、その下辺の長さ方向（幅方向）中央位置を、スクリーン１の幅方向の移動を規制し、かつ、上下方向の移動を許容して下部フレーム３２に固定されている。ここで、ピン挿入穴１４およびピン１５が第２固定手段に相当する。
なお、他の構成は上記実施の形態１と同様に構成されている。
【００４０】
このように構成された透過型スクリーン装置１０１では、上部固定枠５の長さ方向の中央部がピン１０，１１により上部フレーム３１に固定されている。そして、穴方向をスクリーン１の上下方向とするピン挿入穴１２，１４がレンチ側下部固定板７およびフレネル側下部固定板８の下端面の長さ方向の中央位置に形成され、軸方向をスクリーン１の上下方向とするピン１３，１５が下部フレーム３２の上面に立設されている。さらに、ピン１３，１５がピン挿入穴１２，１４に挿入されている。
【００４１】
これにより、上部固定枠５、レンチ側下部固定板７およびフレネル側下部固定板８の幅方向中央位置の幅方向の移動がフレーム３０に対して規制される。そこで、温湿度変化によりレンチキュラレンズスクリーン２およびフレネルレンズスクリーン３に幅方向の伸縮が生じた場合、この収縮はスクリーン１（画面）の中央から左右で均等となる。このため、図５に示されるレンチキュラレンズスクリーン２およびフレネルレンズスクリーン３と側部保持枠９の底面との間に隙間Ｙを縮小することができる。その結果、左右の側部保持枠９の幅、言い換えれば側部フレーム３３の幅を縮小することができるので、画面の枠を狭くでき、良好な外観を得ることができる。
【００４２】
ここで、温湿度変化によりレンチキュラレンズスクリーン２およびフレネルレンズスクリーン３に上下方向の伸縮が生じた場合、レンチキュラレンズスクリーン２およびフレネルレンズスクリーン３は、ピン挿入穴１２，１４がピン１３，１５に案内されて上下方向に伸縮できる。従って、レンチキュラレンズスクリーン２およびフレネルレンズスクリーン３の上下方向の収縮は、ピン挿入穴１２，１４とピン１３，１５との嵌合により吸収され、たわみやしわの発生が抑制される。
【００４３】
なお、上記各実施の形態では、レンチキュラレンズスクリーン２がレンズ面を観察者側に向けて吊設されているものとしているが、レンチキュラレンズスクリーン２はレンズ面を投写側（補強板側）に向けて吊設されてもよい。同様に、フレネルレンズスクリーン３がレンズ面を投写側に向けて吊設されているものとしているが、フレネルレンズスクリーン３はレンズ面を観察者側（補強板側）に向けて吊設されてもよい。
また、上記各実施の形態では、レンチキュラレンズスクリーン２およびフレネルレンズスクリーン３の上辺縁部を上部固定枠５に接着層６により固定するものとしているが、レンチキュラレンズスクリーン２およびフレネルレンズスクリーン３の上辺端面を上部固定枠に固定するようにしてもよい。
【００４４】
また、上記各実施の形態では、テンション付与手段としてレンチ側およびフレネル側板ばね２０、２１を用いるものとしているが、テンション付与手段はこの構成に限定されるものではなく、テンションを幅方向に一様に付与できるものであればよい。また、ばね板材をコルゲート状に屈曲してばね部を構成するものとしているが、コイルスプリングをばね部として用いても良い。
【００４５】
また、上記各実施の形態では、レンチキュラレンズスクリーン２およびフレネルレンズスクリーン３は、補強板４の表面に接するように吊設されているものとしているが、レンチキュラレンズスクリーン２およびフレネルレンズスクリーン３は必ずしも補強板４の表面に密接している必要はなく、レンチキュラレンズスクリーン２およびフレネルレンズスクリーン３と補強板４との間には、光学特性を劣化させない程度の微小な隙間まで許容される。
【図面の簡単な説明】
【００４６】
【図１】この発明の実施の形態１に係る透過型スクリーン装置を観察者側から見た正面図である。
【図２】図１のＩＩ−ＩＩ矢斜断面図である。
【図３】図１のＩＩＩ−ＩＩＩ矢斜断面図である。
【図４】この発明の実施の形態１に係る透過型スクリーン装置に適用される板ばねを示す斜視図である。
【図５】図１のＶ−Ｖ矢斜断面図である。
【図６】この発明の実施の形態２に係る透過型スクリーン装置を観察者側から見た正面図である。
【図７】図６のＶＩＩ−ＩＩ矢斜断面図である。
【図８】図６のＶＩＩＩ−ＶＩＩＩ矢斜断面図である。
【符号の説明】
【００４７】
１  スクリーン、２  レンチキュラレンズスクリーン、３  フレネルレンズスクリーン、４  補強板、５  上部固定枠（保持手段）、７  レンチ側下部固定板、８  フレネル側下部固定板、１０，１１  ピン（第１固定手段）、１２  ピン挿入穴（第２固定手段）、１３  ピン（第２固定手段）、１４  ピン挿入穴（第２固定手段）、１５  ピン（第２固定手段）、２０  レンチ側板ばね（テンション付与手段）、２１  フレネル側板ばね（テンション付与手段）、３０  フレーム、３２  下部フレーム（支持手段）。
【図１】
2007248763.tif 000003
【図２】
2007248763.tif 000004
【図３】
2007248763.tif 000005
【図４】
2007248763.tif 000006
【図５】
2007248763.tif 000007
【図６】
2007248763.tif 000008
【図７】
2007248763.tif 000009
【図８】
2007248763.tif 000010